(57)【要約】【課題】低消費電力動作が可能な駆動装置および液晶表示システムを提供する。【解決手段】本実施形態によれば、複数の走査線と、複数の信号線と、前記走査線と前記信号線との交点に配置される複数の液晶画素と、を備える液晶表示装置を駆動する液晶表示装置の駆動装置は、液晶表示装置の駆動装置は、第１の共通配線と、第２の共通配線と、複数のドライバモジュールと、を備える。前記ドライバモジュールのそれぞれは、比較回路と、第１のスイッチと、第２のスイッチと、を有する。【選択図】図３
2012058692.tif 000002
【特許請求の範囲】
【請求項１】
複数の走査線と、複数の信号線と、前記走査線と前記信号線との交点に配置される複数の液晶画素と、を備える液晶表示装置を駆動する液晶表示装置の駆動装置であって、
奇数本目の前記信号線に対応し、第１のコンデンサに接続可能な第１の共通配線と、
偶数本目の前記信号線に対応し、第２のコンデンサに接続可能な第２の共通配線と、
前記複数の信号線のそれぞれに対応して設けられる複数のドライバモジュールと、を備え、
前記ドライバモジュールのそれぞれは、
前記信号線に供給される第１の画素信号と、前記第１の画素信号の次に前記信号線に供給される第２の画素信号と、に基づいて、チャージシェアを実行するか否かを判定する比較回路と、
前記比較回路の判定結果に応じて、前記第１の画素信号を前記信号線に供給するタイミングを切り替える第１のスイッチと、
前記比較回路の判定結果に応じて、前記信号線とその信号線に対応する前記第１または第２の共通配線とを電気的に接続するか否かを切り替える第２のスイッチと、を有することを特徴とする液晶表示装置の駆動装置。
【請求項２】
前記比較回路は、前記第１の画素信号が、前記第１の画素信号の最大値と最小値との中間値より低い第１の定数より小さく、かつ、前記第２の画素信号が前記中間値より高い第２の定数以上である場合、または、前記第１の画素信号が前記中間値より高い第３の定数以上であり、かつ、前記第２の画素信号が前記中間値より低い第４の定数より小さい場合、チャージシェアを実行すると判定することを特徴とする請求項１に記載の液晶表示装置の駆動装置。
【請求項３】
前記第１および第２の画素信号はデジタル信号であり、
前記比較回路は、前記第１および第２の画素信号の上位から所定ビットのみを用いて、チャージシェアを実行するか否かを判定することを特徴とする請求項１または２に記載の液晶表示装置の駆動装置。
【請求項４】
チャージシェアを実行する場合、前記比較回路は、前記第２のスイッチにより、前記信号線とその信号線に対応する前記第１または第２の共通配線とを電気的に接続させ、所定時間経過後、前記第１のスイッチにより、前記第１の画素信号を前記信号線に供給させることを特徴とする請求項１乃至３のいずれかに記載の液晶表示装置の駆動装置。
【請求項５】
前記信号線とその信号線に対応する前記第１または第２の共通配線とが電気的に接続すると、前記信号線は、その信号線に対応する前記第１または第２のコンデンサに蓄積された電荷に応じた電圧に設定されることを特徴とする請求項１乃至４のいずれかに記載の液晶表示装置の駆動装置。
【請求項６】
前記第１および第２の共通配線を短絡するか否かを切り替える第３のスイッチを備えることを特徴とする請求項１乃至５のいずれかに記載の液晶表示装置の駆動装置。
【請求項７】
前記液晶画素を駆動する電圧の極性が切り替わるタイミングに同期して、所定期間、前記第２および第３のスイッチをオンさせる極性認識回路を備えることを特徴とする請求項６に記載の液晶表示装置の駆動装置。
【請求項８】
複数の走査線と、複数の信号線と、前記走査線と前記信号線との交点に配置される複数の液晶画素と、を備える液晶表示装置を駆動する液晶表示装置の駆動装置であって、
コンデンサに接続可能な共通配線と、
前記複数の信号線のそれぞれに対応して設けられる複数のドライバモジュールと、を備え、
前記ドライバモジュールのそれぞれは、
前記信号線に供給される第１の画素信号が、前記第１の画素信号の最大値と最小値との中間値より低い第１の定数より小さく、かつ、前記第１の画素信号の次に前記信号線に供給される第２の画素信号が前記中間値より高い第２の定数以上である場合、または、前記第１の画素信号が前記中間値より高い第３の定数以上であり、かつ、前記第２の画素信号が前記中間値より低い第４の定数より小さい場合、チャージシェアを実行すると判定する比較回路と、
前記比較回路の判定結果に応じて、前記第１の画素信号を前記信号線に供給するタイミングを切り替える第１のスイッチと、
前記比較回路の判定結果に応じて、前記信号線とその信号線に対応する前記共通配線とを電気的に接続するか否かを切り替える第２のスイッチと、を有することを特徴とする液晶表示装置の駆動装置。
【請求項９】
複数の走査線と、複数の信号線と、前記走査線と前記信号線との交点に配置される複数の液晶画素と、を有する液晶表示装置と、
前記液晶表示装置を駆動する液晶表示装置の駆動装置と、
第１および第２のコンデンサと、を備え、
前記駆動装置は、
奇数本目の前記信号線に対応し、前記第１のコンデンサに接続される第１の共通配線と、
偶数本目の前記信号線に対応し、前記第２のコンデンサに接続される第２の共通配線と、
前記複数の信号線のそれぞれに対応して設けられる複数のドライバモジュールと、を有し、
前記ドライバモジュールのそれぞれは、
前記信号線に供給される第１の画素信号と、前記第１の画素信号の次に前記信号線に供給される第２の画素信号と、に基づいて、チャージシェアを実行するか否かを判定する比較回路と、
前記比較回路の判定結果に応じて、前記第１の画素信号を前記信号線に供給するタイミングを切り替える第１のスイッチと、
前記比較回路の判定結果に応じて、前記信号線とその信号線に対応する前記第１または第２の共通配線とを電気的に接続するか否かを切り替える第２のスイッチと、を有することを特徴とする液晶表示システム。
【請求項１０】
前記液晶表示装置は、前記走査線方向に隣接する液晶画素を駆動する電圧の極性は互いに異なり、前記信号線方向に隣接する液晶画素を駆動する電圧の極性が同一であることを特徴とする請求項９に記載の液晶表示システム。
【発明の詳細な説明】
【技術分野】
【０００１】
本発明の実施形態は、液晶表示装置の駆動装置および液晶表示システムに関する。
【背景技術】
【０００２】
液晶表示装置の大画面化に伴い、液晶表示装置の駆動装置の消費電力も増加する傾向にある。駆動装置の消費電力は、駆動装置内での自己消費電流によるものと、液晶表示装置への充放電電流によるものが挙げられるが、近年では、特に後者が支配的となっている。そのため、液晶表示装置への充放電電流を減らして、低消費電力で動作可能な駆動装置が必要となってきている。
【先行技術文献】
【特許文献】
【０００３】
【特許文献１】特開２００９−１０４１７３号公報
【発明の概要】
【発明が解決しようとする課題】
【０００４】
低消費電力動作が可能な液晶表示装置の駆動装置および液晶表示システムを提供する。
【課題を解決するための手段】
【０００５】
本実施形態によれば、複数の走査線と、複数の信号線と、前記走査線と前記信号線との交点に配置される複数の液晶画素と、を備える液晶表示装置を駆動する液晶表示装置の駆動装置は、液晶表示装置の駆動装置は、第１の共通配線と、第２の共通配線と、複数のドライバモジュールと、を備える。第１の共通配線は、奇数本目の前記信号線に対応し、第１のコンデンサに接続可能である。第２の共通配線は、偶数本目の前記信号線に対応し、第２のコンデンサに接続可能である。複数のドライバモジュールは、前記複数の信号線のそれぞれに対応して設けられる。前記ドライバモジュールのそれぞれは、比較回路と、第１のスイッチと、第２のスイッチと、を有する。比較回路は、前記信号線に供給される第１の画素信号と、前記第１の画素信号の次に前記信号線に供給される第２の画素信号と、に基づいて、チャージシェアを実行するか否かを判定する。第１のスイッチは、前記比較回路の判定結果に応じて、前記第１の画素信号を前記信号線に供給するタイミングを切り替える。第２のスイッチは、前記比較回路の判定結果に応じて、前記信号線とその信号線に対応する前記第１または第２の共通配線とを電気的に接続するか否かを切り替える。
【図面の簡単な説明】
【０００６】
【図１】一実施形態に係る液晶表示システム１００の概略構成図。
【図２】カラム反転方式を説明する図。
【図３】ソースドライバ４の内部構成の一例を示す概略ブロック図。
【図４】画素信号Ｖｄ１と画素電圧Ｖａ１との関係の一例を示す図。
【図５】ソースドライバ４の処理動作の一例を示すフローチャート。
【図６】スイッチＳＷ２，ＳＷ３のオン・オフ動作および信号線１２の電圧波形の一例を示す図。
【図７】スイッチＳＷ２，ＳＷ３のオン・オフ動作および信号線１２の電圧波形の別の例を示す図。
【図８】チャージシェアを実行するか否かの判断手法の一例を示す図。
【図９】画素信号Ｖｄが７ビットである場合の、チャージシェアを実行するか否かの判断手法の一例を示す図。
【図１０】画素信号Ｖｄが６ビットである場合の、チャージシェアを実行するか否かの判断手法の一例を示す図。
【発明を実施するための形態】
【０００７】
以下、の実施形態について、図面を参照しながら具体的に説明する。
【０００８】
（第１の実施形態）
図１は、一実施形態に係る液晶表示システム１００の概略構成図である。図１の液晶表示システム１００は、液晶表示装置１と、タイミングコントローラＬＳＩ２と、ゲートドライバ３と、ソースドライバ（液晶表示装置の駆動装置）４と、外付けコンデンサＣ＿ＯＤ（第１のコンデンサ），Ｃ＿ＥＶ（第２のコンデンサ）とを備えている。
【０００９】
液晶表示装置１は、２枚のガラス基板を対向配置して、これらガラス基板の間に液晶材料を密封した構造である。液晶表示装置１は、複数（例えば１０８０本）の走査線１１と、複数（例えば１９２０＊３本）の信号線１２と、走査線１１および信号線１２の各交差箇所に形成される液晶画素１３とを有する。液晶画素１３は、赤色に点灯するＲ液晶画素、緑色に点灯するＧ液晶画素および青色に点灯するＢ液晶画素からなる。
【００１０】
タイミングコントローラＬＳＩ２はゲートドライバ制御信号５およびソースドライバ制御信号６を生成する。ゲートドライバ３は、ゲートドライバ制御信号５に基づいて、走査線１１の１つを順繰りに選択する。液晶表示システム１００は、例えば４個のゲートドライバ３を備えており、そのぞれぞれは１０８０／４＝２７０本の走査線１１を制御する。ソースドライバ４は、ソースドライバ制御信号６に基づいて、画素電圧Ｖａを信号線１２に供給する。画素電圧Ｖａはゲートドライバ３に選択された走査線１１に接続される液晶画素１３に供給される。液晶表示システム１００は、例えば８個のソースドライバ４を備えており、そのぞれぞれは１９２０＊３／８＝７２０本の信号線１２に画素電圧Ｖａを供給する。
【００１１】
本実施形態の液晶表示装置１は焼き付きを防止するために反転駆動される。すなわち、各液晶画素１３はフレーム毎に画素電圧Ｖａの極性が反転しており、正極性および負極性のいずれかで駆動される。ここで、正極性とは中心電圧（以下、８Ｖとする）と高基準電圧（以下、１６Ｖとする）との間の電圧、負極性とは、中心電圧と低基準電源（以下、０Ｖとする）との間の電圧を意味する。
【００１２】
液晶画素13が非点灯なのは、液晶画素１３の共通電極が８Ｖであり、正極性の場合および負極性の場合ともに、画素電圧Ｖａ＝８Ｖのときである。また、液晶画素１３が最大輝度で点灯するのは、正極性の場合はＶａ＝１６Ｖのときであるが、負極性の場合はＶａ＝０Ｖのときである。このように、同じ輝度で点灯させる場合であっても、液晶画素１３に供給する画素電圧Ｖａの極性を中心電圧を中心としてフレーム毎に反転させることで、液晶の焼き付きを防止できる。
【００１３】
本実施形態の液晶表示装置１は、例えば反転駆動方式の１つであるカラム反転方式により駆動される。図２は、カラム反転方式を説明する図である。図２には、走査線１１（ロウ）方向および信号線１２（カラム）方向に設けられる液晶表示装置１内の複数の液晶画素１３を図示している。液晶画素１３内の「＋」は正極性、「−」は負極性の画素電圧Ｖａでそれぞれ駆動されることを示している。
【００１４】
図２（ａ）では、奇数カラムの液晶画素１３は全て正極性であり、偶数カラムの液晶画素１３は全て負極性である。一方、図２（ｂ）では、奇数カラムの液晶画素１３は全て負極性であり、偶数カラムの液晶画素１３は全て正極性である。フレームが切り替わる毎に、図２（ａ）または図２（ｂ）に示す極性で交互に駆動される。
【００１５】
このように、カラム反転方式では、カラム方向に隣接する液晶画素１３を駆動する画素電圧Ｖａの極性は同一であり、ロウ方向に隣接する液晶画素１３を駆動する画素電圧Ｖａの極性は互いに異なっている。また、フレーム毎に各液晶画素１３の極性が反転する。カラム反転方式は、カラム方向およびロウ方向に隣接する液晶画素１３を駆動する画素電圧Ｖａの極性が互いに異なるドット反転方式に比べ、低消費電力で液晶表示装置１を駆動できる。
【００１６】
図３は、ソースドライバ４の内部構成の一例を示す概略ブロック図である。図３のソースドライバ４は、例えば７２０個のドライバモジュール２０と、奇数カラム用チャージシェア共通配線ＣＳ＿ＯＤ（第１の共通配線）と、偶数カラム用チャージシェア共通配線ＣＳ＿ＥＶ（第２の共通配線）と、駆動方式判定回路３０と、極性認識回路４０と、共通配線短絡スイッチ（第３のスイッチ）ＳＷ１とを有する。これらは、例えば１個のチップに内蔵される。
【００１７】
ドライバモジュール２０のそれぞれは、第１のラッチ回路（１ｓｔ ｌａｔｃｈ）２１と、第２のラッチ回路（２ｎｄ ｌａｔｃｈ）２２と、比較回路（ＣＭＰ）２３と、レベルシフタ回路２４と、デコーダ回路２５と、出力オペアンプ（ＡＭＰ）２６と、チャージシェア用スイッチ（第２のスイッチ）ＳＷ２と、ハイインピーダンス用スイッチ（第１のスイッチ）ＳＷ３とを有する。ドライバモジュール２０は各信号線１２に対応して設けられ、信号線１２を介して画素信号Ｖｄを液晶画素１３に供給する
第１のラッチ回路２１は、供給先の液晶画素１３の点灯輝度を示す画素信号Ｖｄが外部から入力され、これをラッチする。第２のラッチ回路２２は第１のラッチ回路２１が出力する画素信号Ｖｄをラッチする。本実施形態では、画素信号Ｖｄは８ビット（２５６階調）のデジタル信号であるとする。
【００１８】
レベルシフタ回路２４は画素信号Ｖｄの信号レベルをデコーダ回路２５の入力電圧に合わせて変換し、画素信号Ｖｄ１を出力する。例えば、ハイが３Ｖ、ロウが０Ｖにそれぞれ対応する画素信号Ｖｄを、ハイが１０Ｖ、ロウが０Ｖにそれぞれ対応する画素信号Ｖｄ１に変換する。
【００１９】
デコーダ回路２５には画素電圧Ｖａの極性を示す極性信号Ｐｏｌが入力され、画素信号Ｖｄ１をアナログ信号である画素電圧Ｖａ１に変換する。極性信号Ｐｏｌは、例えば１ビットの信号である。極性信号Ｐｏｌの一方の値は図２（ａ）に、他方の値は図２（ｂ）に対応しており、フレーム毎に切り替わる。デコーダ回路２５は、極性信号Ｐｏｌに基づいて、対応する信号線１２が正極性で駆動されるのか、負極性で駆動されるのかを判別する。
【００２０】
図４は、画素信号Ｖｄ１と画素電圧Ｖａ１との関係の一例を示す図である。信号線１２が正極性の画素電圧Ｖａで駆動されるとき、デコーダ回路２５は画素信号Ｖｄ１を８〜１６Ｖのアナログ電圧である画素電圧Ｖａ１に変換する（曲線ｇ１）。一方、負極性で駆動されるとき、デコーダ回路２５は画素信号Ｖｄ１を０〜８Ｖの画素電圧Ｖａ１に変換する（曲線ｇ２）。
【００２１】
画素信号Ｖｄ１と画素電圧Ｖａ１との関係は、画素電圧Ｖａの極性の他、液晶表示装置１の輝度特性や視覚特性を考慮して予め設定される。一例として、図４に示すように、画素信号Ｖｄ１が０〜６３および１９２〜２５５の場合は、画素信号Ｖｄ１に対して画素電圧Ｖａ１は大きく変化し、画素信号Ｖｄ１が６４〜１９１の場合は、画素電圧Ｖａ１はあまり変化しないのが液晶特性の特徴である。
【００２２】
出力オペアンプ２６は、液晶画素１３を駆動するために、デコーダ回路２５が出力した画素電圧Ｖａ１をインピーダンス変換して画素電圧Ｖａを生成する。画素電圧ＶａはスイッチＳＷ３を介して信号線１２に供給される。スイッチＳＷ３の動作タイミングは比較回路２３により制御される。
【００２３】
比較回路２３は、第１のラッチ回路２１から出力される画素信号Ｖｄと、第２のラッチ回路２２から出力される画素信号Ｖｄとに基づいて、チャージシェアを実行するか否かを判断する。比較回路２３は、レベルシフタ回路２４を介し、比較結果に応じてスイッチＳＷ２，ＳＷ３を制御する。詳細な動作は後述する。なお、レベルシフタ回路２４を介する理由は、デコーダ回路２５の入力電圧に合わせて変換したのと同様に、スイッチＳＷ２，ＳＷ３を制御するのに必要な電圧レベルを得るためである。
【００２４】
本実施形態の１つの特徴は、各ドライバモジュール２０内に比較回路２３を設け、ドライバモジュール２０毎にチャージシェアを実行するか否かを判断することである。これにより、効率よくチャージシェアを実行することができ、消費電力を低減できる。
【００２５】
共通配線ＣＳ＿ＯＤは外付けコンデンサＣ＿ＯＤの一端に接続される。外付けコンデンサＣ＿ＯＤの他端は接地端子に接続される。また、共通配線ＣＳ＿ＯＤは、スイッチＳＷ２がオンすると、奇数本目の信号線１２に電気的に接続される。共通配線ＣＳ＿ＥＶについても同様である。
【００２６】
駆動方式判定回路３０は駆動方式に応じてスイッチＳＷ１を制御する。より具体的には、カラム反転方式で液晶表示装置１を駆動する場合はスイッチＳＷ１をオフに、ドット反転方式で駆動し、チャージシェアを実行する場合はオンにそれぞれ設定する。極性認識回路４０は、極性の切り替わりに同期して、所定期間、スイッチＳＷ１，ＳＷ２をオンする。以下では、カラム反転方式で駆動される場合を中心に説明する。
【００２７】
図５は、ソースドライバ４の処理動作の一例を示すフローチャートであり、図６および図７は、スイッチＳＷ２，ＳＷ３のオン・オフ動作および信号線１２の電圧波形の一例を示す図である。スイッチＳＷ２が共通配線ＣＳ＿ＯＤに接続され、正極性の画素電圧Ｖａで駆動される信号線１２に対応するドライバモジュール２０を例にとって、ソースドライバ４の処理動作を説明する。
【００２８】
比較回路２３は、第２のラッチ回路２２から出力される画素信号（第１の画素信号）Ｖｄと、と第１のラッチ回路２１から出力され、第１の画素信号Ｖｄの次に信号線１２に供給される画素信号（第２の画素信号）Ｖｄと、に基づいて、チャージシェアを実行するか否かを判断する（ステップＳ１）。
【００２９】
図８は、チャージシェアを実行するか否かの判断手法の一例を示す図である。同図に示すように、第１および第２の画素信号Ｖｄを０〜６３（第１グループ），６４〜１２７（第２グループ），１２８〜１９２（第３グループ）および１９２〜２５５（第４グループ）の４グループに分け、第１の画素信号Ｖｄが第１グループに属し、かつ、第２の画素信号Ｖｄが第４グループに属する場合、または、第１の画素信号Ｖｄが第４グループに属し、かつ、第２の画素信号Ｖｄが第１グループに属する場合にチャージシェアを実行する。それ以外のグループの遷移はチャージシェアを実行しない。
【００３０】
図８のように画素信号Ｖｄを４グループに分けると、比較回路２３は画素信号Ｖｄの上位２ビットのみを用いて画素信号Ｖｄがどのグループに属するかを判断できるため、比較回路２３の処理を簡略化でき、回路規模を削減できる。また、画素信号Ｖｄの中心である１２８の他、６４，１９２をグループの境界とする。これは、図４に示すように、画素信号Ｖｄ１が６４以下および１９２以上の場合は画素電圧Ｖａ１の変化量が大きいためである。
【００３１】
図６は、第１の画素信号Ｖｄが０（画素電圧Ｖａ＝８Ｖ）、第２の画素信号Ｖｄが２５５（画素電圧Ｖａ＝１６）であり、チャージシェアを実行する場合の例を示している。
【００３２】
チャージシェアを実行する場合（ステップＳ１のＹＥＳ）、比較回路２３は、時刻ｔ１でスイッチＳＷ２をオンに、スイッチＳＷ３をオフにそれぞれ設定する（ステップＳ２）。これにより、外付けコンデンサＣ＿ＯＤに蓄積された電荷が信号線１２に放電され、その電荷に応じた電圧に信号線１２は設定される。液晶画素１３が正極性で駆動される場合、外付けコンデンサＣ＿ＯＤには、８Ｖと１６Ｖの中間電圧である１２Ｖ程度に充電されており、信号線１２は約１２Ｖとなる。続いて、比較回路２３は、時刻ｔ２でスイッチＳＷ２をオフに、スイッチＳＷ３をオンにそれぞれ設定する（ステップＳ３）。これにより、信号線１２は出力オペアンプ２６が出力する画素電圧Ｖａに設定される。
【００３３】
チャージシェアを実行しない場合、出力オペアンプ２６は信号線１２の電圧を８Ｖから１６Ｖまで上昇させる必要がある。これに対し、チャージシェアを実行する場合、外付けコンデンサＣ＿ＯＤに蓄積された電荷を利用して信号線１２の電圧を約１２Ｖまで上昇させることができる。そのため、出力オペアンプ２６は約１２Ｖから１６Ｖまで上昇させるだけでよく、消費電力を低減できる。
【００３４】
図７は、第１の画素信号Ｖｄが２５５（画素電圧Ｖａ＝１６Ｖ）、第２の画素信号Ｖｄが０（画素電圧Ｖａ＝８Ｖ）であり、チャージシェアを実行する場合の例を示している。
【００３５】
比較回路２３が時刻ｔ１でスイッチＳＷ２をオンに、スイッチＳＷ３をオフにそれぞれ設定すると、信号線１２に蓄積された電荷は外付けコンデンサＣ＿ＯＤに放電される。続いて、比較回路２３が時刻ｔ２でスイッチＳＷ２をオフに、スイッチＳＷ３をオンにそれぞれ設定すると、信号線１２は出力オペアンプ２６が出力する画素電圧Ｖａに設定される。
【００３６】
チャージシェアを実行することにより、信号線１２に蓄積されていた電荷が外付けコンデンサＣ＿ＯＤに充電され、電荷を回収できる。
【００３７】
このように、外付けコンデンサＣＳ＿ＯＤ，ＣＳ＿ＥＶで電荷を回収したり、回収された電荷を用いて信号線１２を充電したりすることで、出力オペアンプの負荷が減り、消費電力を低減できる。
【００３８】
また、奇数本目または偶数本目の一方の信号線１２は正極性で、他方の信号線１２は負極性で駆動される。これに合わせて、奇数本目用の共通配線ＣＳ＿ＯＤおよび外付けコンデンサＣ＿ＯＤと、偶数本目用の共通配線ＣＳ＿ＥＶおよび外付けコンデンサＣ＿ＥＶを設けるため、同じ極性で駆動される信号線１２同士で効率よくチャージシェアを実行できる。
【００３９】
一方、図５のステップＳ１で、比較回路２３がチャージシェアを実行しないと判断した場合（ステップＳ１のＮＯ）、比較回路２３は、時刻ｔ１でスイッチＳＷ２をオフに、スイッチＳＷ３をオンにそれぞれ設定する（ステップＳ３）。これにより、信号線１２は出力オペアンプ２６が出力する画素電圧Ｖａに設定される。
【００４０】
なお、ステップＳ３でスイッチＳＷ３はオンに設定された後、次の走査線１１に接続される画素１３の駆動を開始するまで、オン状態を維持する。
【００４１】
図８に示すように、チャージシェアを実行するのは、第１の画素信号Ｖｄが最大値（２５５）と最小値（０）との中間値である１２８より小さい第１の定数（例えば６４）より小さくかつ第２の画素信号Ｖｄが中間値より大きい第２の定数（例えば１９２）以上、または、第１の画素信号Ｖｄが中間値より大きい第３の定数（例えば１９２）以上かつ第２の画素信号Ｖｄが中間値より小さい第４の定数（例えば６４）より小さい場合である。他の場合、例えば、第１の画素信号Ｖｄが０（画素電圧Ｖａ＝８Ｖ）で、第２の画素信号Ｖｄが３２（画素電圧Ｖａ＝１０．５Ｖとする）のときにチャージシェアを実行すると、信号線１２の電圧はチャージシェアにより０Ｖから一旦１２Ｖに設定され、その後に、出力オペアンプ２６により信号線１２の電圧を１２Ｖから１０．５Ｖまで下げなければならない。結果として、消費電力を低減できないばかりか、却って消費電力が増大してしまう。
【００４２】
このように、第１および第２の画素信号Ｖｄに応じて、チャージシェアの実行により消費電力を低減できるか否かが異なる。仮に、チャージシェアを実行するか否かの判定をソースドライバ４単位で行い、ソースドライバ４内の全ドライバモジュール２０でチャージシェアを実行してしまうと消費電力が増大してしまうおそれがある。全てのドライバモジュール２０で消費電力を低減できるとは限らないからである。これに対し、本実施形態では、ソースドライバ４単位でなく、ドライバモジュール２０単位でチャージシェアを実行するか否かを判定し、確実に消費電力を低減できるドライバモジュール２０のみチャージシェアを実行するため、効率よく消費電力を低減できる。
【００４３】
その後、極性認識回路４０は極性信号Ｐｏｌに基づいて画素電圧Ｖａの極性が切り替わるか否かを判断する（ステップＳ４）。極性が切り替わる場合、極性認識回路４０はスイッチＳＷ１，ＳＷ２をオンに設定する（ステップＳ５。極性認識回路４０からの制御信号は不図示）。スイッチＳＷ１をオンする前は、２つの外付けコンデンサＣ＿ＯＤ，Ｃ＿ＥＶのうち、正極性で駆動される信号線１２に接続される外付けコンデンサは約１２Ｖに、負極性で駆動される信号線１２に接続される外付けコンデンサは約４Ｖ（０Ｖと８Ｖとの中間電圧）に、それぞれ対応する電荷が蓄積されている。スイッチＳＷ１，ＳＷ２がオンすることにより、外付けコンデンサＣ＿ＯＤ，Ｃ＿ＥＶは、ともに約８Ｖに対応する電荷が蓄積され、全ての信号線１２もこの電圧値に設定される。
【００４４】
所定期間が経過した後、極性認識回路４０はスイッチＳＷ１，ＳＷ２をオフに設定する（ステップＳ６）。その後、チャージシェアが繰り返し実行されて外付けコンデンサＣ＿ＯＤ，Ｃ＿ＥＶが充放電されることにより、外付けコンデンサＣ＿ＯＤ，Ｃ＿ＥＶには約４Ｖまたは１２Ｖに対応する電荷が蓄積されていく。さらに、次の画素信号Ｖｄが入力されれば、図５のステップＳ１に戻って同様の処理動作が行われる。
【００４５】
このように、本実施形態では、画素信号Ｖｄと、次に信号線１２に供給される画素信号Ｖｄとに基づいて、ドライバモジュール２０毎に、独立して、チャージシェアを実行するか否かを判断する。また、奇数本目の信号線１２に接続される外付けコンデンサＣ＿ＯＤと、偶数本目の信号線１２に接続される外付けコンデンサＣ＿ＥＶを設けてチャージシェアを実行する。そのため、液晶表示装置１への充放電電流を抑制でき、効率よく駆動装置４の消費電力を低減できる。さらに、図８に示すように、画素信号を４つのグループに分けてチャージシェアを実行するか否かを判定するため、判定を行う比較回路２３の回路規模を削減できる。
【００４６】
上述した実施形態では画素信号Ｖｄが８ビットである例を示したが、画素信号Ｖｄが異なるビット等であっても本実施形態を適用できる。例えば、図９は、画素信号Ｖｄが７ビットである場合の、チャージシェアを実行するか否かの判断手法の一例を示す図であり、図１０は、画素信号Ｖｄが６ビットである場合の、チャージシェアを実行するか否かの判断手法の一例を示す図である。また、画素信号は１０ビット以上の信号であってもよい。さらに、図８〜図１０とは異なる手法で比較回路２３はチャージシェアを実行するか否かを判定してもよい。例えば、４グループ以上に分けてもよいし、画素信号Ｖｄと画素電圧Ｖａとの関係に応じてグループを設定してもよい。
【００４７】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００４８】
１  液晶表示装置
４  ソースドライバ
１１  走査線
１２  信号線
１３  液晶画素
２０  ドライバモジュール
２３  比較回路
４０  極性認識回路
【図１】
2012058692.tif 000003
【図２】
2012058692.tif 000004
【図３】
2012058692.tif 000005
【図４】
2012058692.tif 000006
【図５】
2012058692.tif 000007
【図６】
2012058692.tif 000008
【図７】
2012058692.tif 000009
【図８】
2012058692.tif 000010
【図９】
2012058692.tif 000011
【図１０】
2012058692.tif 000012